(57)【要約】 【課題】本発明は接続端子の数が増加できるフレキシブル印刷回路基板用コネクタと、その接続端子と接続されるパッド端子の幅を広くすることができるフレキシブル印刷回路基板と、それらを有する表示装置を提供する。【解決手段】フレキシブル印刷回路基板用コネクタは、接続口を備えるコネクタハウジングと、前記コネクタハウジング内の互いに異なる表面に分離して形成される少なくとも２つの接続端子群とを具備し、フレキシブル印刷回路基板は、接続口を備えるコネクタハウジング内の互いに異なる表面に分離して形成される少なくとも２つの接続端子群を含むフレキシブル印刷回路基板用コネクタに挿入されるフレキシブル印刷回路基板において、前記フレキシブル印刷回路基板は前記少なくとも２つの接続端子群それぞれと接続される少なくとも２つのパッド端子群を具備する。【選択図】      図３
2007157715.tif 000002
【特許請求の範囲】
【請求項１】
接続口を備えるコネクタハウジングと、
前記コネクタハウジング内の互いに異なる表面に分離して形成される少なくとも２つの接続端子群とを具備することを特徴とするフレキシブル印刷回路基板用コネクタ。
【請求項２】
前記コネクタハウジング内の互いに異なる表面は同一平面ではないことを特徴とする請求項１に記載のフレキシブル印刷回路基板用コネクタ。
【請求項３】
前記少なくとも２つの接続端子群は、前記コネクタハウジングの第１面の内面上に形成される第１接続端子群と、
前記第１面と対向する前記コネクタハウジングの第２面の内面上に前記第１接続端子群と向き合うように形成される第２接続端子群とを含むことを特徴とする請求項１に記載のフレキシブル印刷回路基板用コネクタ。
【請求項４】
前記第１接続端子群は、前記第２接続端子群と互いに向き合うことを特徴とする請求項３に記載のフレキシブル印刷回路基板用コネクタ。
【請求項５】
前記コネクタハウジングの第１面と第２面は互いに平行であることを特徴とする請求項３に記載のフレキシブル印刷回路基板用コネクタ。
【請求項６】
前記コネクタハウジングは前記第１面と第２面とを連結する側面をさらに具備することを特徴とする請求項３に記載のフレキシブル印刷回路基板用コネクタ。
【請求項７】
前記第１接続端子群から延長される第１リード端子群と、
前記第２接続端子群から延長される第２リード端子群とをさらに具備し、
前記コネクタハウジングは前記第１リード端子群と第２リード端子群との間に配置されることを特徴とする請求項３に記載のフレキシブル印刷回路基板用コネクタ。
【請求項８】
前記少なくとも２つの接続端子群は、前記コネクタハウジングの第１面の内面上に形成される第１接続端子群と、
前記コネクタハウジングの第２面の内面上に前記第１接続端子群と交互に形成される第２接続端子群とを含むことを特徴とする請求項１に記載のフレキシブル印刷回路基板用コネクタ。
【請求項９】
前記コネクタハウジングの一側端に設置されるカバーハウジングをさらに具備することを特徴とする請求項１に記載のフレキシブル印刷回路基板用コネクタ。
【請求項１０】
前記カバーハウジングは、前記コネクタハウジングの第１面に回動開閉式（ｐｉｖｏｔａｌ）で結合されることを特徴とする請求項９に記載のフレキシブル印刷回路基板用コネクタ。
【請求項１１】
接続口を備えるコネクタハウジング内の互いに異なる表面に分離して形成される少なくとも２つの接続端子群を含むフレキシブル印刷回路基板用コネクタに挿入されるフレキシブル印刷回路基板において、
前記フレキシブル印刷回路基板は前記少なくとも２つの接続端子群それぞれと接続される少なくとも２つのパッド端子群を具備することを特徴とするフレキシブル印刷回路基板。
【請求項１２】
前記少なくとも２つのパッド端子群は、前記コネクタハウジングの第１面の内面上に形成される第１接続端子群と接続されるようにベースフィルムの上部面に形成される第１パッド端子群と、
前記コネクタハウジングの第２面の内面上に前記第１接続端子群と向き合う第２接続端子群と接続されるように前記ベースフィルムの下部面に形成される第２パッド端子群とを含むことを特徴とする請求項１１に記載のフレキシブル印刷回路基板。
【請求項１３】
前記少なくとも２つの接続端子群は、前記コネクタハウジングの第１面の内面上に形成される第１接続端子群と接続されるようにベースフィルムの上部面に形成される第１パッド端子群と、
前記コネクタハウジングの第２面の内面上に前記第１接続端子群と交互に形成される第２接続端子群と接続されるように前記ベースフィルムの下部面に前記第１パッド端子群それぞれと交互に形成される第２パッド端子群とを含むことを特徴とする請求項１１に記載のフレキシブル印刷回路基板。
【請求項１４】
画像を表示する表示パネルと、
前記表示パネルを駆動するための駆動回路部と、
前記駆動回路部に供給される駆動信号を生成する複数の信号生成部が実装された印刷回路基板と、
前記印刷回路基板に実装されるコネクタと、
前記コネクタに収納されるフレキシブル回路基板とを具備し、
前記コネクタは、接続口を備えるコネクタハウジングと、前記コネクタハウジング内の互いに異なる表面に分離して形成される少なくとも２つの接続端子群とを具備することを特徴とする表示装置。
【請求項１５】
前記少なくとも２つの接続端子群は、前記コネクタハウジングの第１面の内面上に形成される第１接続端子群と、
前記コネクタハウジングの第２面の内面上に前記第１接続端子群と向き合うように形成される第２接続端子群とを含むことを特徴とする請求項１４に記載の表示装置。
【請求項１６】
前記フレキシブル印刷回路基板は、前記第１接続端子群それぞれと接続されるようにベースフィルムの上部面に形成される第１パッド端子群と、
前記第２接続端子群それぞれと接続され前記第１パッド端子群それぞれと向き合うように前記ベースフィルムの下部面に形成される第２パッド端子群とを含むことを特徴とする請求項１５に記載の表示装置。
【請求項１７】
前記少なくとも２つの接続端子群は、前記コネクタハウジングの上部面の背面上に形成される第１接続端子群と、
前記コネクタハウジングの下部面の前面上に前記第１接続端子群と交互に形成される第２接続端子群とを含むことを特徴とする請求項１４に記載の表示装置。
【請求項１８】
前記フレキシブル印刷回路基板は、前記第１接続端子群それぞれと接続されるようにベースフィルムの上部面に形成される第１パッド端子群と、
前記第２接続端子群それぞれと接続され前記第１パッド端子群と交互に形成されるように前記ベースフィルムの下部面に形成される第２パッド端子群とを含むことを特徴とする請求項１７に記載の表示装置。
【請求項１９】
ベースフィルムを有してなるフレキシブル印刷回路基板をコネクタに連結する方法において、
上面に第１パッド端子群を保有し、下面に第２パッド端子群を保有する前記ベースフィルムを前記コネクタのコネクタハウジング内の連結口に挿入する段階と、
前記コネクタハウジングの第１面の内面に形成される第１接続端子群に前記第１パッド端子群を連結する段階と、
前記コネクタハウジングの第２面の内面に形成される第２接続端子群に前記第２パッド端子群を連結する段階とを有することを特徴とするフレキシブル印刷回路基板をコネクタに連結する方法。
【請求項２０】
前記第１パッド端子群と第２パッド端子群は、実質的に同時に前記第１接続端子群と第２接続端子群にそれぞれ連結されることを特徴とする請求項１９に記載のフレキシブル印刷回路基板をコネクタに連結する方法。
【発明の詳細な説明】
【技術分野】
【０００１】
本発明はフレキシブル印刷回路基板用コネクタ、それに挿入されるフレキシブル印刷回路基板及びそれを有する表示装置、並びにフレキシブル印刷回路基板をコネクタに連結する方法に関し、特に、接続端子の数が増加できるフレキシブル印刷回路基板用コネクタ、その接続端子と接続されるパッド端子の幅を広くすることができるフレキシブル印刷回路基板、それらを有する表示装置、並びにフレキシブル印刷回路基板をコネクタに連結する方法に関する。
【背景技術】
【０００２】
近年、液晶表示装置の軽薄短小化の目的を満足させるために液晶表示装置を構成しているそれぞれの部材、例えば、バクライト、コネクタ、印刷回路基板（ＰＣＢ）または結合構造などにおいて継続的な研究がなされている。
【０００３】
液晶表示装置は、液晶表示パネルと、液晶表示パネルに光を提供するバックライトアセンブリと、液晶表示パネルが画像を表示するに必要な各種信号を発生させる駆動回路部を含む。
【０００４】
駆動回路部は液晶表示パネルの駆動のためのゲートドライバ、データドライバ、ゲートドライバ及びデータドライバを制御するタイミング制御部、及び電源部を具備する。
【０００５】
タイミング制御部及び電源部は制御印刷回路基板上に実装されゲートドライバ及びデータドライバに制御信号及び駆動電圧を供給する。
【０００６】
ゲートドライバ及びデータドライバは複数個のＩＣで集積化される。集積化されたデータドライバＩＣとゲートドライバＩＣそれぞれはＴＣＰ（Ｔａｐｅ  Ｃａｒｒｉｅｒ  Ｐａｃｋａｇｅ）上に実装され液晶表示パネルと接続される。また、ドライバＩＣはＴＣＰに接続されたデータＰＣＢ（Ｐｒｉｎｔｅｄ  Ｃｉｒｃｕｉｔ  Ｂｏａｒｄ）に形成された信号ラインを通じて制御印刷回路基板から制御信号及び駆動電圧の供給を受ける。
【０００７】
この際、制御印刷回路基板とデータ印刷回路基板は、それぞれの印刷回路基板に形成されたＰＣＢ用コネクタを用いて連結される。ここで、ＰＣＢ用コネクタは２列配列を有していて占める領域に比べて接続端子数が多いという長所がある反面、両印刷回路基板にコネクタが実装され雌雄で存在しなければならなく高さが高いという問題点がある。
【０００８】
また、制御印刷回路基板とデータ印刷回路基板のうちいずれか一つの印刷回路基板に付着されたＦＰＣ（フレキシブル印刷回路基板）と他の印刷回路基板に形成されたコネクタが接続されることで２つの印刷回路基板は連結される。ここで、ＦＰＣが挿入されるＦＰＣ用コネクタはいずれか一つの印刷回路基板のみに実装されＰＣＢ用コネクタに比べて高さの制約が少ない反面ＦＰＣ用コネクタが印刷回路基板に占める面積に比べて接続端子数が少ない問題点があった。
【０００９】
このような問題点を解決するために図１に示すように接続端子１０間の距離ｄを狭くして接続端子１０数を増やす方案と図２に示すように接続端子１０の第１及び第２接続部１０ａ、１０ｂの幅が異なるに配列され第１及び第２接続部１０ａ、１０ｂが交互に配列される方案が提案された。しかし、図１及び図２に示した構造は接続端子１０間の距離が狭くなって接続端子１０に形成したメッキ層が成長して隣接した接続端子１０と短絡が発生する問題点があった。また、コネクタの接続端子１０間の距離が狭くなって該当接続端子とＦＰＣパッド端子間のアライメント不良が発生する問題点があった。
【発明の開示】
【発明が解決しようとする課題】
【００１０】
そこで、本発明は上記従来の印刷回路基板のコネクタにおける問題点に鑑みてなされたものであって、本発明の目的は、接続端子の数が増加できるフレキシブル印刷回路基板用コネクタと、その接続端子と接続されるパッド端子の幅を広くすることができるフレキシブル印刷回路基板と、それらを有する表示装置を提供することにある。
また、フレキシブル印刷回路基板をコネクタに連結する方法を提供することにある。
【課題を解決するための手段】
【００１１】
上記目的を達成するためになされた本発明によるフレキシブル印刷回路基板用コネクタは、接続口を備えるコネクタハウジングと、前記コネクタハウジング内の互いに異なる表面に分離して形成される少なくとも２つの接続端子群とを具備することを特徴とする。
【００１２】
前記コネクタハウジング内の互いに異なる表面は同一平面ではないことが好ましい。
前記少なくとも２つの接続端子群は、前記コネクタハウジングの第１面の内面上に形成される第１接続端子群と、前記第１面と対向する前記コネクタハウジングの第２面の内面上に前記第１接続端子群と向き合うように形成される第２接続端子群とを含むことが好ましい。
前記第１接続端子群は、前記第２接続端子群と互いに向き合うことが好ましい。
前記コネクタハウジングの第１面と第２面は互いに平行であることが好ましい。
前記コネクタハウジングは前記第１面と第２面とを連結する側面をさらに具備することが好ましい。
前記第１接続端子群から延長される第１リード端子群と、前記第２接続端子群から延長される第２リード端子群とをさらに具備し、前記コネクタハウジングは前記第１リード端子群と第２リード端子群との間に配置されることが好ましい。
前記少なくとも２つの接続端子群は、前記コネクタハウジングの第１面の内面上に形成される第１接続端子群と、前記コネクタハウジングの第２面の内面上に前記第１接続端子群と交互に形成される第２接続端子群とを含むことが好ましい。
前記コネクタハウジングの一側端に設置されるカバーハウジングをさらに具備することが好ましい。
前記カバーハウジングは、前記コネクタハウジングの第１面に回動開閉式（ｐｉｖｏｔａｌ）で結合されることが好ましい。
【００１３】
上記目的を達成するためになされた本発明によるフレキシブル印刷回路基板は、接続口を備えるコネクタハウジング内の互いに異なる表面に分離して形成される少なくとも２つの接続端子群を含むフレキシブル印刷回路基板用コネクタに挿入されるフレキシブル印刷回路基板において、前記フレキシブル印刷回路基板は前記少なくとも２つの接続端子群それぞれと接続される少なくとも２つのパッド端子群を具備することを特徴とする。
【００１４】
前記少なくとも２つのパッド端子群は、前記コネクタハウジングの第１面の内面上に形成される第１接続端子群と接続されるようにベースフィルムの上部面に形成される第１パッド端子群と、前記コネクタハウジングの第２面の内面上に前記第１接続端子群と向き合う第２接続端子群と接続されるように前記ベースフィルムの下部面に形成される第２パッド端子群とを含むことが好ましい。
前記少なくとも２つの接続端子群は、前記コネクタハウジングの第１面の内面上に形成される第１接続端子群と接続されるようにベースフィルムの上部面に形成される第１パッド端子群と、前記コネクタハウジングの第２面の内面上に前記第１接続端子群と交互に形成される第２接続端子群と接続されるように前記ベースフィルムの下部面に前記第１パッド端子群それぞれと交互に形成される第２パッド端子群とを含むことが好ましい。
【００１５】
上記目的を達成するためになされた本発明による表示装置は、画像を表示する表示パネルと、前記表示パネルを駆動するための駆動回路部と、前記駆動回路部に供給される駆動信号を生成する複数の信号生成部が実装された印刷回路基板と、前記印刷回路基板に実装されるコネクタと、前記コネクタに収納されるフレキシブル回路基板とを具備し、前記コネクタは、接続口を備えるコネクタハウジングと、前記コネクタハウジング内の互いに異なる表面に分離して形成される少なくとも２つの接続端子群とを具備することを特徴とする。
【００１６】
前記少なくとも２つの接続端子群は、前記コネクタハウジングの第１面の内面上に形成される第１接続端子群と、前記コネクタハウジングの第２面の内面上に前記第１接続端子群と向き合うように形成される第２接続端子群とを含むことが好ましい。
前記フレキシブル印刷回路基板は、前記第１接続端子群それぞれと接続されるようにベースフィルムの上部面に形成される第１パッド端子群と、前記第２接続端子群それぞれと接続され前記第１パッド端子群それぞれと向き合うように前記ベースフィルムの下部面に形成される第２パッド端子群とを含むことが好ましい。
前記少なくとも２つの接続端子群は、前記コネクタハウジングの上部面の背面上に形成される第１接続端子群と、前記コネクタハウジングの下部面の前面上に前記第１接続端子群と交互に形成される第２接続端子群とを含むことが好ましい。
前記フレキシブル印刷回路基板は、前記第１接続端子群それぞれと接続されるようにベースフィルムの上部面に形成される第１パッド端子群と、前記第２接続端子群それぞれと接続され前記第１パッド端子群と交互に形成されるように前記ベースフィルムの下部面に形成される第２パッド端子群とを含むことが好ましい。
【００１７】
上記目的を達成するためになされた本発明によるフレキシブル印刷回路基板をコネクタに連結する方法は、ベースフィルムを有してなるフレキシブル印刷回路基板をコネクタに連結する方法において、上面に第１パッド端子群を保有し、下面に第２パッド端子群を保有する前記ベースフィルムを前記コネクタのコネクタハウジング内の連結口に挿入する段階と、前記コネクタハウジングの第１面の内面に形成される第１接続端子群に前記第１パッド端子群を連結する段階と、前記コネクタハウジングの第２面の内面に形成される第２接続端子群に前記第２パッド端子群を連結する段階とを有することを特徴とする。
【００１８】
前記第１パッド端子群と第２パッド端子群は、実質的に同時に前記第１接続端子群と第２接続端子群にそれぞれ連結されることが好ましい。
【発明の効果】
【００１９】
本発明に係るフレキシブル印刷回路基板用コネクタと、それに挿入されるフレキシブル印刷回路基板及びそれを有する表示装置、並びにフレキシブル印刷回路基板をコネクタに連結する方法によれば、従来に比べてコネクタの接続端子群それぞれの間隔を広くすることができ、接続端子数を従来に比べて２倍以上に増やすことができるという効果がある。
また、従来に比べてフレキシブル印刷回路基板のパッド端子数を増やすことができパッド端子の幅を広くすることができるという効果がある。
従って、フレキシブル印刷回路基板用コネクタとフレキシブル印刷回路基板の接触不良を防止することができるという効果がある。
【発明を実施するための最良の形態】
【００２０】
次に、本発明に係るフレキシブル印刷回路基板用コネクタ、それに挿入されるフレキシブル印刷回路基板及びそれを有する表示装置、並びにフレキシブル印刷回路基板をコネクタに連結する方法を実施するための最良の形態の具体例を図面を参照しながら説明する。
【００２１】
図３は、本発明の第１の実施形態によるコネクタを示す斜視図であり、図４は、図３に示した本発明の第１の実施形態によるコネクタの断面図である。
【００２２】
図３及び図４を参照すると、コネクタ１１０は接続口１２２を備えるコネクタハウジング１１２と、コネクタハウジング１１２内に複数個形成される接続端子１１４、１１６と、コネクタハウジング１１２の一側端に設置されたカバーハウジング１０８を具備する。
【００２３】
コネクタハウジング１１２は上部面１１２ａと、その上部面１１２ａと向き合う下部面１１２ｂと、上部面１１２ａと下部面１１２ｂとの間に形成され接続口１２２を備える側面１１２ｃとで構成される。コネクタハウジング１１２内に備えられた接続口１２２には印刷回路基板と接続されたＦＰＣ（フレキシブル印刷回路基板）が挿入される。
【００２４】
接続端子は接続口１２２内で互いに向き合う第１及び第２接続端子１１４、１１６を具備する。
【００２５】
第１接続端子１１４はコネクタハウジング１１２の上部面１１２ａの背面上に複数個形成され第１接続端子群を成す。このような接続端子１１４はＦＰＣの上部面に形成された第１パッド端子と接続される。第２接続端子１１６はコネクタのハウジング１１２の下部面１１２ｂの前面上に複数個形成された第２接続端子群をなす。このような第２接続端子１１６は第１接続端子１１４と向き合うように形成されＦＰＣの下部面に形成された第２パッド端子と接続される。このような第１及び第２接続端子１１４、１１６それぞれから伸長された第１及び第２リード端子１１８、１２０それぞれは印刷回路基板上に形成された信号ラインと半田付け工程等を通じて接続される。第１及び第２リード端子１１８、１２０はコネクタハウジング１１２の間に置いて対向するように形成される。
【００２６】
カバーハウジング１０８はコネクタハウジング１１２に回動可能に支持され接続口１２２を開閉する。
【００２７】
このようなコネクタに挿入されるＦＰＣ（フレキシブル印刷回路基板）１３０は図５に示すようにベースフィルム１３２の両面に形成される第１及び第２パッド端子１３４、１３６を具備する。
【００２８】
第１パッド端子１３４はコネクタの第１接続端子１１４それぞれと接続され第１パッド端子群を成し、第２パッド端子１３６はコネクタの第２接続端子１１６と接続され第２パッド端子群を成す。このような第１及び第２パッド端子１３４、１３６は図２及び図３に示した第１及び第２接続端子１１４、１１６と対応するように図５に示すようにベースフィルム１３２を挟んで互いに対向するように形成される。
【００２９】
このように、本発明の第１の実施形態によるコネクタは少なくとも２つの接続端子群がコネクタハウジング内の互いに異なる面に分離して形成される。これにより、本発明の第１の実施形態によるコネクタは従来に比べて接続端子群それぞれの間隔を広くすることができ接続端子数を従来に比べて２倍以上増やすことができる。また、本発明の第１の実施形態によるコネクタに挿入されるＦＰＣはベースフィルムを間に挟んで第１及び第２パッド端子群が向き合うように形成されることで従来に比べてパッド端子数を増やすことができパッド端子の幅を広くすることができる。それにより、本発明の第１の実施形態によるコネクタとＦＰＣの接触不良は防止される。
【００３０】
図６は本発明の第２の実施形態によるコネクタを示す斜視図である。
図６に示すコネクタは図２に示したコネクタと対比して第１及び第２接続端子が交互に形成されることを除いては同一の構成要素を具備する。それにより、同一の構成要素に対する詳細な説明は省略する。
【００３１】
接続端子は接続口１２２内で交互に配置された第１及び第２接続端子１１４、１１６を具備する。
【００３２】
第１接続端子１１４はコネクタのハウジング１１２の上部面１１２ａの背面上に複数個形成され第１接続端子群を成す。このような接続端子１１４はＦＰＣの上部面に形成された第１パッド端子と接続される。第２接続端子１１６はコネクタハウジング１１２の下部面１１２ｂの前面上に複数個形成され第２接続端子群を成す。このような第２接続端子１１６は第１接続端子１１４の間に形成されＦＰＣの下部面に形成された第２パッド端子と接続される。このような第１及び第２接続端子１１４、１１６それぞれから伸長された第１及び第２リード端子１１８、１２０それぞれは印刷回路基板上に形成された信号ラインと半田付け工程等を通じて接続される。第１及び第２リード端子１１８、１２０はコネクタハウジング１１２を間に置いて対向するように形成される。
【００３３】
このようなコネクタに挿入されるＦＰＣ１３０は図７に示すようにベースフィルム１３２の両面に形成される第１及び第２パッド端子１３４、１３６を具備する。
【００３４】
第１パッド端子１３４はコネクタの第１接続端子１１４と接続される。第２パッド端子１３６はコネクタの第２接続端子１１６と接続され第１パッド端子１３４の間のベースフィルムの下部面に形成される。即ち、第１及び第２パッド端子１３４、１３６は図５に示した第１及び第２接続端子１１４、１１６と対応するようにベースフィルム１３２を間に挟んで交互に形成される。
【００３５】
このように、本発明の第２の実施形態によるコネクタは少なくとも２つの接続端子群がコネクタハウジング内の互いに異なる面に分離して形成される。それにより、本発明の第２の実施形態によるコネクタは従来に比べて接続端子群それぞれの間隔を広くすることができ接続端子を従来に比べて２倍以上に増やすことができる。また、本発明の第２の実施形態によるコネクタに挿入されるＦＰＣはベースフィルムを間に挟んで第１及び第２パッド端子が交互に形成されることで従来に比べてパッド端子数を増やすことができパッド端子の幅を広くすることができる。それにより、本発明の第２の実施形態によるコネクタとＦＰＣの接触不良は防止される。
【００３６】
図８及び図９は本発明によるフレキシブル印刷回路基板用コネクタと、そのコネクタと接続されるＦＰＣの接続過程を説明するための斜視図である。ここで、図８及び図９に示すコネクタは本発明の第１の実施形態によるコネクタを例にして説明する。
【００３７】
図８に示すコネクタ１１０は第１及び第２接続端子１１４、１１６を有し、そのコネクタ１１０の接続口１２２にＦＰＣ１３０が収容される。ここで、コネクタ１１０は図３及び図４に示したコネクタと同一であり。ＦＰＣ１３０は図５に示したＦＰＣと同一であるので、それについての詳細な説明は省略する。
【００３８】
ＦＰＣ１３０は図９に示すようにコネクタ１１０の接続口１２２内に収容されることでＦＰＣ１３０の第１パッド端子１３４はコネクタ１１０の第１接続端子１１４と接続され、ＦＰＣ１３０の第２パッド端子１３６はコネクタ１１０の第２接続端子１１６と接続される。これにより、ＦＰＣ１３０を通じて供給される駆動信号はコネクタ１１０の第１及び第２接続端子１１４、１１６を通じて印刷回路基板の信号ラインに供給される。または、第１印刷回路基板に安着されたコネクタ１１０を通じて供給される駆動信号をＦＰＣ１３０を通じて第２印刷回路基板の信号ラインに供給される。
【００３９】
図１０及び図１１は本発明によるフレキシブル印刷回路基板用コネクタ、それに挿入されるフレキシブル印刷回路基板を有する液晶表示装置を示す図面である。
【００４０】
図１０及び図１１を参照すると、本発明による液晶表示装置は液晶表示パネル１６０、データ印刷回路基板１２６、データ印刷回路基板１２６と接続された制御印刷回路基板１５２を具備する。
【００４１】
液晶表示パネル１６０は薄膜トランジスタ基板１６２とカラーフィルタ基板１６４が液晶を間に置いて接合されて形成される。このような液晶表示パネル１６０はゲートラインとデータラインの交差で定義される領域毎に薄膜トランジスタＴＦＴによって独立的に駆動される液晶セルＣｌｃが備えられる。薄膜トランジスタＴＦＴはゲートラインからのスキャン信号に応答してデータラインからの画素信号を液晶セルＣｌｃに供給する。
【００４２】
液晶表示パネル１６０の薄膜トランジスタ基板１６２は集積回路１６６が実装されたＴＣＰ（テープキャリアパッケージ）１５０を通じてデータ印刷回路基板１２６と電気的に連結される。ここで、集積回路１６６はデータラインを駆動するためのデータ集積回路と、ゲートラインを駆動するためのゲート駆動回路を具備する。データ集積回路は画素データをアナログ画素信号に変換してデータラインに供給する。ゲート集積回路はゲートハイ電圧のスキャン信号をゲートラインに順次に供給する。また、ゲート集積回路はゲートハイ電圧が供給される時間を除いた残りの期間にゲートロー電圧をゲートラインに供給する。
【００４３】
データ印刷回路基板１２６はＴＣＰ１５０と接続されると同時にＦＰＣコネクタ１１０とＦＰＣ１３０を通じて制御印刷回路基板１５２と接続される。それにより、データ印刷回路基板１２６は制御印刷回路基板１５２に実装されたタイミング制御部１２８及び電源部１３８などからの制御信号、電源信号及び画素データなどを該当集積回路１６６に供給する。
【００４４】
制御印刷回路基板１５２は電源部で生成されたバックライトアセンブリ電源信号をバックライトインバータ部に供給する。また、制御印刷回路基板１５２はＦＰＣ１３０のコネクタ１１０とＦＰＣ１３０を通じて接続される。それにより、制御印刷回路基板１５２に実装されたタイミング制御部１２８及び電源部１３８などからの制御信号、電源信号及び画素データなどをデータ印刷回路基板１２６に供給する。そして、制御印刷回路基板１５２に実装されたタイミング制御部１２８及び電源部１３８などにはケーブル通じて接続さ
れたユーザーコネクタからの入力電源、画素データ、クロック信号及び同期信号などが供給される。
【００４５】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【産業上の利用可能性】
【００４６】
本発明によるフレキシブル印刷回路基板用コネクタ、それに挿入されるフレキシブル印刷回路基板は液晶表示装置、プラズマ表示パネル、電界放出素子、電界発光素子などの表示装置に適用されると同時にコネクタ及びフレキシブル印刷回路基板を有する全ての装置にも適用可能である。
【図面の簡単な説明】
【００４７】
【図１】従来コネクタと接続するフレキシブル印刷回路基板を示す斜視図である。
【図２】従来コネクタと接続するフレキシブル印刷回路基板を示す斜視図である。
【図３】本発明の第１の実施形態によるフレキシブル印刷回路基板用コネクタを示す斜視図である。
【図４】図３に示したフレキシブル印刷回路基板用コネクタの断面図である。
【図５】図３及び図４に示したフレキシブル印刷回路基板用コネクタに挿入されるフレキシブル印刷回路基板を示す斜視図である。
【図６】本発明の第２の実施形態によるフレキシブル印刷回路基板用コネクタを示す斜視図である。
【図７】図６に示したフレキシブル印刷回路基板用コネクタに挿入されるフレキシブル印刷回路基板を示す斜視図である。
【図８】本発明によるフレキシブル印刷回路基板用コネクタとフレキシブル印刷回路基板の接続過程を説明するための斜視図である。
【図９】本発明によるフレキシブル印刷回路基板用コネクタとフレキシブル印刷回路基板の接続過程を説明するための斜視図である。
【図１０】本発明によるフレキシブル印刷回路基板用コネクタ、それに挿入されるフレキシブル印刷回路基板を有する液晶表示装置を示す平面図である。
【図１１】図１０に示した液晶表示装置の斜視図である。
【符号の説明】
【００４８】
１０８      カバーハウジング
１１０      フレキシブル印刷回路基板コネクタ
１１２      コネクタハウジング
１１４、１１６      （第１及び第２）接続端子
１１８、１２０      （第１及び第２）リード端子
１２２      接続口
１２６      データ印刷回路基板
１２８      タイミング制御部
１３０      フレキシブル印刷回路基板（ＦＰＣ）
１３２      ベースフィルム
１３４、１３６      （第１及び第２）パッド端子
１３８      電源部
１５０      テープキャリアパッケージ（ＴＰＣ）
１５２      制御印刷回路基板
１６０      液晶表示パネル
１６２      薄膜トランジスタ基板
１６４      カラーフィルタ基板
１６６      集積回路
【図１】
2007157715.tif 000003
【図２】
2007157715.tif 000004
【図３】
2007157715.tif 000005
【図４】
2007157715.tif 000006
【図５】
2007157715.tif 000007
【図６】
2007157715.tif 000008
【図７】
2007157715.tif 000009
【図８】
2007157715.tif 000010
【図９】
2007157715.tif 000011
【図１０】
2007157715.tif 000012
【図１１】
2007157715.tif 000013